(57)【要約】【課題】ガスワイピングノズルの開口幅の変動に応じてガスの吐出圧力を適切に制御するのに有効なガスワイピング装置及びガスワイピング方法を提供する。【解決手段】ガスワイピング装置３は、ガスワイピングノズル４１と、ガスワイピングノズル４１の開口幅を変更する幅調節部と、送風機５と、第一バルブ７Ａ及び第二バルブ７Ｂと、コントローラ１００と、を備え、コントローラ１００は、鋼帯９の幅に応じて開口幅を調節するように幅調節部４２を制御することと、データリスト１１４に基づいて圧力の目標値及び開口幅に応じた送風機５の運転速度の指令値を導出し、送風機５に出力することと、圧力の目標値と検出値との間の偏差を小さくするように第一バルブ７Ａ及び第二バルブ７Ｂをフィードバック制御することと、を実行するように構成されている。【選択図】図１
2018111873.tif 000002
【特許請求の範囲】
【請求項１】
めっき用の溶融金属が付着した鋼帯にガスを吹き付けるガスワイピングノズルと、
前記ガスワイピングノズルの開口幅を変更する幅調節部と、
前記ガスワイピングノズルに前記ガスを供給する送風機と、
前記ガスワイピングノズルと前記送風機との間において前記ガスの流路の開度を調節する圧力調節弁と、
前記ガスワイピングノズルに供給される前記ガスの圧力を検出する圧力センサと、
コントローラと、を備え、
前記コントローラは、
前記ガスワイピングノズルに供給される前記ガスの圧力の目標値と、前記開口幅とに対応する前記送風機の運転速度を導出するための複数のデータを含むデータリストを有し、
前記鋼帯の幅に応じて前記開口幅を調節するように前記幅調節部を制御することと、
前記データリストに基づいて前記圧力の目標値及び前記開口幅に応じた前記送風機の運転速度の指令値を導出し、前記送風機に当該指令値を出力することと、
前記圧力の目標値と、前記圧力センサの検出値との間の偏差を小さくするように前記圧力調節弁をフィードバック制御することと、を実行するように構成されている、ガスワイピング装置。
【請求項２】
前記鋼帯は、互いに接続されて順に搬送される第一鋼帯及び第二鋼帯を含み、
前記コントローラは、
前記第一鋼帯が前記ガスワイピングノズルを通過する第一期間と、前記第二鋼帯が前記ガスワイピングノズルを通過する第二期間との間の移行期間において、前記第一期間及び前記第二期間に比較して前記ガスワイピングノズルの開口幅を大きくするように前記幅調節部を制御することと、
前記第二期間の開始に先立って、前記第二期間における前記送風機の運転速度の指令値を前記データリストに基づいて導出することと、
前記移行期間において、前記圧力調節弁のフィードバック制御を停止し、前記第二期間における前記送風機の運転速度の指令値を前記送風機に出力することと、を更に実行するように構成されている、請求項１記載のガスワイピング装置。
【請求項３】
前記データリストは、
前記圧力の目標値が大きくなるのに応じて前記送風機の運転速度が大きくなり、前記開口幅が大きくなるに応じて前記送風機の運転速度が大きくなるように構成されている、請求項１又は２記載のガスワイピング装置。
【請求項４】
送風機から供給されたガスを、めっき用の溶融金属が付着した鋼帯に吹き付けるガスワイピングノズルの開口幅を、鋼帯の幅に応じて調節することと、
前記ガスワイピングノズルに供給される前記ガスの圧力の目標値と、前記開口幅とに対応する前記送風機の運転速度を導出するための複数のデータを含むデータリストに基づいて、前記圧力の目標値及び前記開口幅に応じた前記送風機の運転速度の指令値を導出し、前記送風機に当該指令値を出力することと、
前記ガスワイピングノズルと前記送風機との間において前記ガスの流路の開度を調節する圧力調節弁を対象とし、前記圧力の目標値と、前記ガスワイピングノズルに供給される前記ガスの圧力の検出値との間の偏差を小さくするように前記圧力調節弁をフィードバック制御することと、を含むガスワイピング方法。
【発明の詳細な説明】
【技術分野】
【０００１】
本開示は、ガスワイピング装置及びガスワイピング方法に関する。
【背景技術】
【０００２】
特許文献１には、鋼帯の幅に応じてガスワイピングノズルの開口幅を調節可能なガスワイピング装置が開示されている。特許文献２には、ガスワイピングノズルにおけるガスの圧力（以下、「ガスワイピングノズルの吐出圧力」という。）の制御方法として、ガスワイピングノズルの吐出圧力の設定値と測定値との偏差を小さくするようにワイピングノズル制御弁をフィードバック制御し、ブロワの吐出圧力の設定値と測定値との偏差を小さくするようにブロワをフィードバック制御する方法が開示されている。
【先行技術文献】
【特許文献】
【０００３】
【特許文献１】特開２０１２−２５１２３７号公報
【特許文献２】特開２００３−１２９２０６号公報
【発明の概要】
【発明が解決しようとする課題】
【０００４】
特許文献１に開示されるように、鋼帯の幅に応じてガスワイピングノズルの開口幅を調節する場合、開口幅の変化に応じてガスワイピングノズルの吐出圧力を調節する必要がある。吐出圧力を調節するための制御方法として、特許文献２に開示される方法が挙げられる。しかしながら、当該方法においては、ガスワイピングノズルの制御弁及びブロワの両方が圧力に応じてフィードバック制御されるので、開口幅の変動に追従しきれず、吐出圧力を適切に調節できないおそれがある。
【０００５】
そこで本開示は、ガスワイピングノズルの開口幅の変動に応じてガスの吐出圧力を適切に制御するのに有効なガスワイピング装置及びガスワイピング方法を提供することを目的とする。
【課題を解決するための手段】
【０００６】
本開示の一側面に係るガスワイピング装置は、めっき用の溶融金属が付着した鋼帯にガスを吹き付けるガスワイピングノズルと、ガスワイピングノズルの開口幅を変更する幅調節部と、ガスワイピングノズルにガスを供給する送風機と、ガスワイピングノズルと送風機との間においてガスの流路の開度を調節する圧力調節弁と、ガスワイピングノズルに供給される前記ガスの圧力を検出する圧力センサと、コントローラと、を備え、コントローラは、ガスワイピングノズルに供給されるガスの圧力の目標値と、開口幅とに応じた送風機の運転速度を導出するための複数のデータを含むデータリストを有し、鋼帯の幅に応じて開口幅を調節するように幅調節部を制御することと、データリストに基づいて圧力の目標値及び開口幅に応じた送風機の運転速度の指令値を導出し、送風機に出力することと、圧力の目標値と、圧力センサの検出値との間の偏差を小さくするように圧力調節弁をフィードバック制御することと、を実行するように構成されている。
【０００７】
このガスワイピング装置によれば、圧力制御弁は、ガスワイピングノズルの吐出圧力の目標値と、圧力センサの検出値との間の偏差を小さくするようにフィードバック制御される。一方、送風機は、データリストを用いて制御される。すなわち、データリストを用い、圧力の目標値及び開口幅に応じた送風機の運転速度が導出され、送風機に出力される。仮に、送風圧力の制御偏差を小さくするように送風機をフィードバック制御すると、送風機におけるフィードバック制御と圧力制御弁におけるフィードバック制御とが相互に影響を及ぼし合い、吐出圧力の安定化が遅くなる場合がある。これに対し、送風機にはデータリストを用いた制御を行うことで、送風機の運転速度は、圧力制御弁の動作の影響を受けることなく指令値に即応して早期に安定化する。また、送風機の運転速度の変動が、圧力制御弁のフィードバック制御に及ぼす影響も小さくなる。このため、ガスワイピングノズルの吐出圧力は迅速に目標値に追従する。従って、ガスワイピングノズルの開口幅の変動に応じてガスの吐出圧力を適切に制御するのに有効である。
【０００８】
鋼帯は、互いに接続されて順に搬送される第一鋼帯及び第二鋼帯を含み、コントローラは、第一鋼帯がガスワイピングノズルを通過する第一期間と、第二鋼帯がガスワイピングノズルを通過する第二期間との間の移行期間において、第一期間及び第二期間に比較してガスワイピングノズルの開口幅を大きくするように幅調節部を制御することと、第二期間の開始に先立って、第二期間における送風機の運転速度の指令値をデータリストに基づいて導出することと、移行期間において、圧力調節弁のフィードバック制御を停止し、第二期間における送風機の運転速度の指令値（以下、「第二速度指令値」という。）を送風機に出力することと、を更に実行するように構成されていてもよい。
【０００９】
仮に、移行期間において、第一期間及び第二期間に比較してガスワイピングノズルの開口幅を大きくする制御を行わない場合、ガスワイピングノズルに対する溶融金属の付着が増えるおそれがある。例えば、第一鋼帯に比較して第二鋼帯の幅が大きい場合に、第一期間から第二期間への移行にガスワイピングノズルの開口幅の拡大が遅れる可能性がある。
この場合、移行期間において、鋼帯の幅に対してガスワイピングノズルの開口幅が小さい状態が生じ得る。この状態においては、鋼帯の縁の近傍に溶融金属の付着量の多い部分が生じ、当該部分から溶融金属の飛散（スプラッシュ）が生じ易くなるので、飛散した溶融金属がガスワイピングノズルに付着し易くなる。これに対し、移行期間において、第一期間及び第二期間に比較してガスワイピングノズルの開口幅を大きくすることで、上述のスプラッシュを低減し、ガスワイピングノズルへの溶融金属の付着を抑制することができる。
【００１０】
一方、移行期間においてガスワイピングノズルの開口幅を拡大する制御を実行すると、開口幅の変動に対する送風機及び圧力調節弁の応答が遅れる可能性がある。このような遅れが生じると、第二期間の開始後においても吐出圧力の変動が継続し、所望の目付量（鋼帯への溶融金属の付着量）が得られなくなるおそれがある。これに対し、移行期間においては、送風機の運転速度の指令値が第二速度指令値に保たれている。これにより、第二期間の開始時においては送風機の運転速度の指令値を変動させる必要がない。また、移行期間においては、圧力制御弁のフィードバック制御が停止される。これにより、移行期間における圧力制御弁の開度は、送風機の制御の併用を前提とした変動域内又はその近傍に保たれる。このため、第二期間の開始時に、ガスワイピングノズルの吐出圧力を迅速に目標値に追従させることができる。従って、スプラッシュを低減させるようにガスワイピングノズルの開口幅を変動させつつ、ガスの吐出圧力を適切に制御することができる。
【００１１】
データリストは、圧力の目標値が大きくなるのに応じて送風機の運転速度が大きくなり、開口幅が大きくなるに応じて送風機の運転速度が大きくなるように構成されていてもよい。この場合、圧力の目標値が小さくなると送風機の運転速度が小さくなり、開口幅が小さくなると送風機の運転速度が小さくなるので、圧力調節弁におけるエネルギーロスを低減できる。
【００１２】
本開示の他の側面に係るガスワイピング方法は、めっき用の溶融金属が付着した鋼帯にガスを吹き付けるガスワイピングノズルの開口幅を鋼帯の幅に応じて調節することと、ガスワイピングノズルに供給されるガスの圧力の目標値と、開口幅とに応じた送風機の運転速度を導出するための複数のデータを含むデータリストを有し、データリストに基づいて、圧力の目標値及び開口幅に応じた送風機の運転速度の指令値を導出し、送風機に出力することと、ガスワイピングノズルと送風機との間においてガスの流路の開度を調節する圧力調節弁を対象とし、圧力の目標値と、ガスワイピングノズルに供給されるガスの圧力の検出値との間の偏差を小さくするように圧力調節弁をフィードバック制御することと、を含む。
【発明の効果】
【００１３】
本開示によれば、ガスワイピングノズルの開口幅の変動に応じてガスの吐出圧力を適切に制御するのに有効なガスワイピング装置及びガスワイピング方法を提供することができる。
【図面の簡単な説明】
【００１４】
【図１】ガスワイピング装置の概略構成を示す模式図である。
【図２】ガスワイピングノズルの斜視図である。
【図３】幅調節部の構成を示す模式図である。
【図４】データリストを例示する図である。
【図５】コントローラのハードウェア構成を示すブロック図である。
【図６】ガスワイピング装置の制御手順を示すフローチャートである。
【図７】接続部分が通過する際のガスワイピングノズルの動作を示す模式図である。
【図８】ガスワイピングノズルに溶融金属が付着する様子を示す模式図である。
【図９】接続部分が通過する際におけるブロワ回転数の推移を示すグラフである。
【図１０】接続部分が通過する際における吐出圧力の推移を示すグラフである。
【図１１】接続部分が通過する際における目付量の推移を示すグラフである。
【発明を実施するための形態】
【００１５】
以下、実施形態について図面を参照しつつ詳細に説明する。説明において、同一要素又は同一機能を有する要素には同一の符号を付し、重複する説明を省略する。
【００１６】
〔溶融金属めっき装置〕
図１に示される溶融金属めっき装置１は、溶融金属を含むめっき浴に鋼帯を通すことで、当該鋼帯の表面に金属のめっきを施す装置である。溶融金属めっき装置１は、めっきポット２と、ガスワイピング装置３とを備える。
【００１７】
めっきポット２は、めっき用の溶融金属を含むめっき浴を収容する。溶融金属の具体例としては、溶融亜鉛等が挙げられる。めっきポット２内には、水平な軸線まわりに回転可能なシンクロール２１が設けられている。シンクロール２１は、めっき浴中に位置する。めっきポット２は、めっき対象の鋼帯９を上方から受け入れる。上方からめっきポット２内に受け入れられた鋼帯９は、めっき浴に浸漬される。めっき浴に浸漬された鋼帯９は、シンクロール２１により上方に折り返され、溶融金属が付着した状態にてめっきポット２内から上方送り出される。以下、鋼帯９が移動する方向を「搬送方向」という。また、鋼帯９のうち、めっきポット２内から上方に送り出された部分を「浸漬後の鋼帯９」という。
【００１８】
ガスワイピング装置３は、浸漬後の鋼帯９にガスを吹き付けることによって目付量を調整する。目付量とは、鋼帯９への溶融金属の付着量を意味し、例えば単位面積当たりに付着する溶融金属の重量で表される。ガスは、窒素ガス等の不活性ガスであってもよく、空気であってもよい。
【００１９】
ガスワイピング装置３は、第一ノズルユニット４Ａと、第二ノズルユニット４Ｂと、送風機５と、第一管路６Ａと、第二管路６Ｂと、第一バルブ７Ａと、第二バルブ７Ｂと、第一圧力センサ８Ａと、第二圧力センサ８Ｂと、コントローラ１００とを備える。
【００２０】
第一ノズルユニット４Ａ及び第二ノズルユニット４Ｂは、めっきポット２の上方において浸漬後の鋼帯９を挟むように設けられ、浸漬後の鋼帯９にガスを吹き付ける。第一ノズルユニット４Ａは、鋼帯９の一方の面に向かって開口したガスワイピングノズル４１を有し、第二ノズルユニット４Ｂは、鋼帯９の他方の面に向かって開口したガスワイピングノズル４１を有する。
【００２１】
送風機５は、第一ノズルユニット４Ａ及び第二ノズルユニット４Ｂのガスワイピングノズル４１にガスを供給する。送風機５は、ブロワ５１と、ブロワ５１を駆動するモータ５２と、駆動用の電力をモータ５２に供給するインバータ５３とを含む。
【００２２】
第一管路６Ａは、ブロワ５１から第一ノズルユニット４Ａのガスワイピングノズル４１にガスを導く。第二管路６Ｂは、ブロワ５１から第二ノズルユニット４Ｂのガスワイピングノズル４１にガスを導く。
【００２３】
第一バルブ７Ａ（圧力調節弁）は、第一管路６Ａにおいてガスワイピングノズル４１とブロワ５１との間に設けられており、ガスの流路の開度を調節する。第二バルブ７Ｂ（圧力調節弁）は、第二管路６Ｂにおいてガスワイピングノズル４１とブロワ５１との間に設けられており、ガスの流路の開度を調節する。第一バルブ７Ａ及び第二バルブ７Ｂの具体例としては、例えばグローブ弁が挙げられる。
【００２４】
第一圧力センサ８Ａは、第一ノズルユニット４Ａのガスワイピングノズル４１に供給されるガスの圧力を検出する。例えば第一圧力センサ８Ａは、第一管路６Ａにおいてガスワイピングノズル４１と第一バルブ７Ａとの間に設けられており、第一管路６Ａ内の圧力を検出する。第一圧力センサ８Ａは、ガスワイピングノズル４１内の圧力を検出するように、第一ノズルユニット４Ａに設けられていてもよい。第二圧力センサ８Ｂは、第二ノズルユニット４Ｂのガスワイピングノズル４１に供給されるガスの圧力を検出する。例えば第二圧力センサ８Ｂは、第二管路６Ｂにおいてガスワイピングノズル４１と第二バルブ７Ｂとの間に設けられており、第二管路６Ｂ内の圧力を検出する。第二圧力センサ８Ｂは、ガスワイピングノズル４１内の圧力を検出するように、第二ノズルユニット４Ｂに設けられていてもよい。
【００２５】
続いて、図２及び図３を参照し、第一ノズルユニット４Ａ及び第二ノズルユニット４Ｂの構造を説明する。なお、第一ノズルユニット４Ａ及び第二ノズルユニット４Ｂの構造は同じなので、以下ではこれらを区別せずに「ノズルユニット４」とする。
【００２６】
図２及び図３に示すように、ノズルユニット４のガスワイピングノズル４１は、送風機５により供給されたガスを受け入れるガス受入部４１ａと、ガスを吐出するスリット４１ｂとを有する。スリット４１ｂは鋼帯９の幅方向に沿っている。
【００２７】
ノズルユニット４は、ガスワイピングノズル４１の開口幅を変更する幅調節部４２を更に有する。幅調節部４２は、二つの閉塞部材４４と、二つのアクチュエータ４５とを有する。二つの閉塞部材４４は、スリット４１ｂの両端部をそれぞれ塞ぐように配置されており、二つの閉塞部材４４同士の間隔がガスワイピングノズル４１の開口幅となる。
【００２８】
二つのアクチュエータ４５は、二つの閉塞部材４４を鋼帯９の幅方向に沿ってそれぞれ移動させることで、ガスワイピングノズル４１の開口幅を変更する。アクチュエータ４５は、例えば電動式のリニアアクチュエータであり、ワイヤ及びプーリなどの伝達要素４６を介して閉塞部材４４を駆動する。
【００２９】
続いて、図１に戻り、コントローラ１００について説明する。コントローラ１００は、ガスワイピングノズル４１の開口幅と、ガスワイピングノズル４１に供給するガスの圧力（以下、これを「吐出圧力」という。）とを自動制御する。
【００３０】
コントローラ１００は、ガスワイピングノズル４１に供給されるガスの圧力の目標値と、開口幅とに応じた送風機５の運転速度を導出するための複数のデータを含むデータリスト１１４を有し、鋼帯９の幅に応じて開口幅を調節するように幅調節部４２を制御することと、データリストに基づいて圧力の目標値及び開口幅に応じた送風機５の運転速度（例えばブロワ５１の回転速度）の指令値を導出し、送風機５に出力することと、圧力の目標値と、第一圧力センサ８Ａ及び第二圧力センサ８Ｂの検出値との間の偏差を小さくするように第一バルブ７Ａ及び第二バルブ７Ｂをフィードバック制御することと、を実行するように構成されている。
【００３１】
ここで、鋼帯９は、互いに幅の異なる複数の鋼帯を含む。複数の鋼帯は、搬送方向に沿って並んでおり、隣り合う鋼帯同士は溶接等により互いに接続されている。以下、互いに接続された二つの鋼帯のうち、先行して搬送される方を「第一鋼帯」といい、これに続いて搬送される方を「第二鋼帯」といい、第一鋼帯及び第二鋼帯の間を「接続部分」という。すなわち鋼帯９は、互いに接続されて順に搬送される第一鋼帯及び第二鋼帯を含む。
【００３２】
コントローラ１００は、第一鋼帯がガスワイピングノズル４１を通過する第一期間と、第二鋼帯がガスワイピングノズル４１を通過する第二期間との間の移行期間において、第一期間及び第二期間に比較してガスワイピングノズル４１の開口幅を大きくするように幅調節部４２を制御することと、第二期間の開始に先立って、第二期間における送風機５の運転速度の指令値を上記データリストに基づいて導出することと、移行期間において、第一バルブ７Ａ及び第二バルブ７Ｂのフィードバック制御を停止し、第二期間における送風機５の運転速度の指令値を送風機５に出力することと、を更に実行するように構成されていてもよい。なお、「ガスワイピングノズル４１を通過する」とは、ガスワイピングノズル４１が吐出したガスが到達する位置を通過することを意味する。
【００３３】
コントローラ１００は、機能上の構成（以下、「機能ブロック」という。）として、鋼帯情報取得部１１１と、目標圧力設定部１１２と、制御モード切替部１１３と、データリスト１１４と、ブロワ速度制御部１１５と、第一バルブ制御部１１６と、第二バルブ制御部１１７と、開口幅制御部１１８とを有する。
【００３４】
鋼帯情報取得部１１１は、搬送中の鋼帯９に関する情報を上位のコントローラから取得する。目標圧力設定部１１２は、鋼帯情報取得部１１１により取得された情報に基づいて、吐出圧力の目標値を設定する。
【００３５】
制御モード切替部１１３は、鋼帯同士の接続部分の位置に基づいて、上記移行期間の開始と終了を判定し、移行期間外における制御モード（以下、「通常モード」という。）と、移行期間中における制御モード（以下、「移行モード」という。）とを切り換える。
【００３６】
データリスト１１４は、ガスワイピングノズル４１に供給されるガスの圧力の目標値と、開口幅とに応じた送風機５の運転速度を導出するための複数のデータを含む。例えばデータリスト１１４は、吐出圧力の目標値と、ガスワイピングノズル４１の開口幅と、送風機５の運転速度との複数の組み合わせパターンのリストを含む。図４に例示するように、データリスト１１４は、複数種類の吐出圧力と、複数種類の開口幅との組み合わせごとに、送風機５の運転速度を定めたテーブルである。吐出圧力及び開口幅に応じた送風機５の運転速度は、例えば、当該開口幅に当該吐出圧力を適用した場合のガス流量と同じ流量を送風する条件下で、上記吐出圧力に所定の圧力マージンを加算した送風圧力（送風機５がガスを送り出す際の圧力）が得られるように設定される。所定の圧力マージンは、送風機５からガスワイピングノズル４１に至るまでの圧力損失と、送風機５の送風圧力のばらつき等を含む。吐出圧力及び開口幅に応じた送風機５の運転速度は、予め実機で実測したデータに基づいて設定されていてもよく、シミュレーション結果に基づいて設定されていてもよい。
【００３７】
図４のテーブルは、複数種類の吐出圧力（圧力１〜８）にそれぞれ対応する複数の列と、複数種類の開口幅（幅１〜６）にそれぞれ対応する複数の行とで区画された複数のセルのそれぞれに、送風機５の運転速度が割り当てられている。このデータリスト１１４は、吐出圧力の目標値が大きくなるのに応じて送風機５の運転速度が大きくなり、開口幅が大きくなるに応じて送風機５の運転速度が大きくなるように構成されていてもよい。
【００３８】
ブロワ速度制御部１１５は、送風機５に運転速度の指令値を出力する。例えばブロワ速度制御部１１５は、送風機５のインバータ５３に、ブロワ５１の回転速度の指令値を出力する。上述の制御モードが通常モードである場合、ブロワ速度制御部１１５は、データリスト１１４に基づいて吐出圧力の目標値及び開口幅に応じた送風機５の運転速度の指令値を導出し、送風機５に出力する。上述の制御モードが移行モードである場合、ブロワ速度制御部１１５は、上記第二期間における送風機５の運転速度の指令値をデータリスト１１４に基づいて導出し、送風機５に出力する。
【００３９】
第一バルブ制御部１１６は、第一管路６Ａにおけるガスの流路の開度を調節するように第一バルブ７Ａを制御する。上述の制御モードが通常モードである場合、第一バルブ制御部１１６は、吐出圧力の目標値と、第一圧力センサ８Ａの検出値との間の偏差を小さくするように第一バルブ７Ａをフィードバック制御する。
【００４０】
フィードバック制御の具体例としては、Ｐ制御、ＰＩ制御、又はＰＩＤ制御等が挙げられる。Ｐ制御は、上記偏差に比例した開度指令値を第一バルブ７Ａに出力する制御である。ＰＩ制御は、上記偏差に比例した開度指令値と、上記偏差の時間積分に比例した開度指令値とを加算して第一バルブ７Ａに出力する制御である。ＰＩＤ制御は、上記偏差に比例した開度指令値と、上記偏差の時間積分に比例した開度指令値と、上記偏差の時間微分に比例した開度指令値とを加算して第一バルブ７Ａに出力する制御である。
【００４１】
上述の制御モードが移行モードである場合、第一バルブ制御部１１６は、第一バルブ７Ａのフィードバック制御を停止する。以後、第一バルブ制御部１１６は、第一バルブ７Ａの開度指令値を、フィードバック制御の停止直前の値に維持する。
【００４２】
第二バルブ制御部１１７は、第二管路６Ｂにおけるガスの流路の開度を調節するように第二バルブ７Ｂを制御する。上述の制御モードが通常モードである場合、第二バルブ制御部１１７は、吐出圧力の目標値と、第二圧力センサ８Ｂの検出値との間の偏差を小さくするように第二バルブ７Ｂをフィードバック制御する。上述の制御モードが移行モードである場合、第二バルブ制御部１１７は、第二バルブ７Ｂのフィードバック制御を停止する。
以後、第二バルブ制御部１１７は、第二バルブ７Ｂの開度指令値を、フィードバック制御の停止直前の値に維持する。
【００４３】
開口幅制御部１１８は、ガスワイピングノズル４１の開口幅を調節するように幅調節部４２を制御する。上述の制御モードが通常モードである場合、開口幅制御部１１８は、鋼帯９の幅に応じてガスワイピングノズル４１の開口幅を調節する。上述の制御モードが移行モードである場合、開口幅制御部１１８は、上記第一期間及び第二期間に比較してガスワイピングノズル４１の開口幅を大きくするように幅調節部４２を制御する。
【００４４】
図５は、コントローラ１００のハードウェア構成を例示するブロック図である。図５に示すように、コントローラ１００は回路１２０を有し、回路１２０は、一つ又は複数のプロセッサ１２１と、メモリ１２２と、ストレージ１２３と、入出力ポート１２４とを有する。
【００４５】
入出力ポート１２４は、幅調節部４２、第一バルブ７Ａ、第二バルブ７Ｂ、第一圧力センサ８Ａ、第二圧力センサ８Ｂ、及びインバータ５３との間で電気信号の入出力を行う。ストレージ１２３は、コントローラ１００の上記各機能ブロックを構成するためのプログラムを記録している。ストレージ１２３は、コンピュータ読み取り可能であればどのようなものであってもよい。具体例として、ハードディスク、不揮発性の半導体メモリ、磁気ディスク及び光ディスク等が挙げられる。メモリ１２２は、ストレージ１２３からロードしたプログラム及びプロセッサ１２１の演算結果等を一時的に記憶する。プロセッサ１２１は、メモリ１２２と協働してプログラムを実行することで、各機能ブロックを構成する。
【００４６】
なお、コントローラ１００のハードウェア構成は、必ずしもプログラムにより各機能ブロックを構成するものに限られない。例えばコントローラ１００の上記機能ブロックの少なくとも一部は、専用の論理回路又はこれを集積したＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により構成されていてもよい。
【００４７】
コントローラ１００は、第一ノズルユニット４Ａ及び第二ノズルユニット４Ｂを制御する（幅調節部４２を制御する）コントローラと、第一バルブ７Ａ、第二バルブ７Ｂ及び送風機５を制御するコントローラとに分かれ、これらが通信ラインで接続されていてもよい。
【００４８】
〔ガスワイピング方法〕
続いて、ガスワイピング方法の一例として、コントローラ１００により実行される制御手順を説明する。以下の手順の開始時点において、上記制御モードは通常モードとなっているものとする。
【００４９】
図６に示すように、コントローラ１００は、まずステップＳ０１を実行する。ステップＳ０１では、鋼帯情報取得部１１１が、搬送中の鋼帯９に関する情報を上位のコントローラから取得する。例えば鋼帯情報取得部１１１は、搬送方向に連なる複数の鋼帯の幅の情報と、鋼帯同士の接続部分の位置の情報と、鋼帯９の搬送速度（以下、「ライン速度」という。）の情報と、目付量の目標値とを取得する。
【００５０】
次に、コントローラ１００はステップＳ０２を実行する。ステップＳ０２では、目標圧力設定部１１２が、吐出圧力の目標値を設定する。例えば目標圧力設定部１１２は、目付量の目標値と、ライン速度とを鋼帯情報取得部１１１から取得し、これらに応じて吐出圧力の目標値を設定する。目付量の目標値及びライン速度に応じた吐出圧力の目標値は、理論式、過去の操業データ又は実験データ又はこれらのデータに基づく回帰式、又は目付量の実測値のフィードバック演算に基づいて導出可能である。
【００５１】
次に、コントローラ１００はステップＳ０３を実行する。ステップＳ０３では、開口幅制御部１１８が、鋼帯９の幅に応じてガスワイピングノズル４１の開口幅を調節する。例えば開口幅制御部１１８は、鋼帯情報取得部１１１により取得された鋼帯９の幅に第一マージンを加算した値を開口幅の指令値とし、当該指令値を幅調節部４２に出力する。第一マージンは、事前の条件出しにより予め設定されている。
【００５２】
次に、コントローラ１００はステップＳ０４を実行する。ステップＳ０４では、ブロワ速度制御部１１５が、データリスト１１４に基づいて吐出圧力の目標値及び開口幅に応じた送風機５の運転速度の指令値を導出し、送風機５に出力する。すなわちデータリスト１１４は、送風圧力の制御偏差を小さくするための送風機５のフィードバック制御を行わない。例えばブロワ速度制御部１１５は、ステップＳ０２において設定された吐出圧力の目標値と、ステップＳ０３において導出された開口幅の指令値とに対応する送風機５の運転速度をデータリスト１１４から探し出し、これを指令値とする。また、ブロワ速度制御部１１５は、データリスト１１４のデータ同士の間を線形補間等の手法により補間して送風機５の運転速度を導出してもよい。
【００５３】
次に、コントローラ１００はステップＳ０５を実行する。ステップＳ０５では、第一バルブ制御部１１６が第一圧力センサ８Ａの検出値を取得し、第二バルブ制御部１１７が第二圧力センサ８Ｂの検出値を取得する。
【００５４】
次に、コントローラ１００はステップＳ０６を実行する。ステップＳ０６では、第一バルブ制御部１１６が、吐出圧力の目標値と第一圧力センサ８Ａの検出値との間の偏差に応じた開度指令値を導出し、第一バルブ７Ａに出力する。第二バルブ制御部１１７が、吐出圧力の目標値と第二圧力センサ８Ｂの検出値との間の偏差に応じた開度指令値を導出し、第一バルブ７Ａに出力する。なお、偏差に応じた開度指令値は、偏差に比例した値であってもよく、偏差に比例した値と偏差の時間積分に比例した値とを加算した値であってもよく、偏差に比例した値と偏差の時間積分に比例した値と偏差の時間微分に比例した値とを加算した値であってもよい。
【００５５】
次に、コントローラ１００はステップＳ０７を実行する。ステップＳ０７では、鋼帯情報取得部１１１が、搬送中の鋼帯９に関する情報を上位のコントローラから再度取得して更新する。
【００５６】
次に、コントローラ１００はステップＳ０８を実行する。ステップＳ０８では、鋼帯９の搬送が停止したか否かを制御モード切替部１１３が確認する。
【００５７】
鋼帯９の搬送は停止していないと判定した場合、コントローラ１００はステップＳ０９を実行する。ステップＳ０９では、制御モード切替部１１３が、ステップＳ０７において更新された情報に基づいて、上記移行期間が開始したか否かを確認する。例えば制御モード切替部１１３は、接続部分（ガスワイピングノズル４１を通過していない接続部分）からガスワイピングノズル４１までの距離が所定値以下である場合に、上記移行期間が開始したものと判定する。
【００５８】
ステップＳ０９において、移行期間は開始していないと判定した場合、コントローラ１００は処理をステップＳ０３に戻す。以後、移行期間が開始されるまで、開口幅の調節と、通常モードでの送風機５、第一バルブ７Ａ及び第二バルブ７Ｂの制御とが繰り返される。
【００５９】
ステップＳ０９において、移行期間が開始したと判定した場合、コントローラ１００はステップＳ１０を実行する。ステップＳ１０では、制御モード切替部１１３が、制御モードを通常モードから移行モードに変更する。
【００６０】
次に、コントローラ１００はステップＳ１１を実行する。ステップＳ１１では、第一バルブ制御部１１６が第一バルブ７Ａのフィードバック制御を停止し、第二バルブ制御部１１７が第二バルブ７Ｂのフィードバック制御を停止する。以後、第一バルブ制御部１１６は、第一バルブ７Ａ及び第二バルブ７Ｂへの開度指令値を、ステップＳ０７において導出された値に維持する。
【００６１】
次に、コントローラ１００はステップＳ１２を実行する。ステップＳ１２では、開口幅制御部１１８が、上記第一期間及び第二期間に比較してガスワイピングノズル４１の開口幅を大きくするように幅調節部４２を制御する。例えば開口幅制御部１１８は、上記第一鋼帯及び第二鋼帯の幅を鋼帯情報取得部１１１から取得し、これらのうち大きい方に対し、第一マージンよりも大きな第二マージンを加算した値を開口幅の指令値とし、当該指令値を幅調節部４２に出力する。このため、図７に示すように、移行期間Ｔ３におけるガスワイピングノズル４１の開口幅Ｗ３は、第一期間Ｔ１における開口幅Ｗ１及び第二期間Ｔ２における開口幅Ｗ２に比較して大きくなる。なお、第二マージンは、事前の条件出しにより予め設定されている。
【００６２】
図６に戻り、コントローラ１００は、次にステップＳ１３を実行する。ステップＳ１３では、目標圧力設定部１１２が、第二期間における吐出圧力の目標値を設定する。例えば目標圧力設定部１１２は、第二期間における目付量の目標値（第二鋼帯への目付量の目標値）と、ライン速度とを鋼帯情報取得部１１１から取得し、これらに応じて吐出圧力の目標値を設定する。
【００６３】
次に、コントローラ１００はステップＳ１４を実行する。ステップＳ１４では、ブロワ速度制御部１１５が、上記第二期間におけるガスワイピングノズル４１の開口幅を導出する。例えばブロワ速度制御部１１５は、第二鋼帯の幅を鋼帯情報取得部１１１から取得し、これに第一マージンを加算して第二期間におけるガスワイピングノズル４１の開口幅を導出する。
【００６４】
次に、コントローラ１００はステップＳ１５を実行する。ステップＳ１５では、ブロワ速度制御部１１５が、第二期間における送風機５の運転速度の指令値をデータリスト１１４に基づいて導出し、送風機５に出力する。例えばブロワ速度制御部１１５は、ステップＳ１２において設定された吐出圧力の目標値と、ステップＳ１３において導出された開口幅とに対応する送風機５の運転速度をデータリスト１１４から探し出し、これを指令値とする。また、ブロワ速度制御部１１５は、データリスト１１４のデータ同士の間を線形補間等の手法により補間して送風機５の運転速度を導出してもよい。
【００６５】
なお、ステップＳ１４におけるガスワイピングノズル４１の開口幅の導出と、ステップＳ１５における運転速度の指令値の導出とは、少なくとも第二期間の開始に先立って実行されていればよいので、コントローラ１００は、これらを上記移行期間の開始に先立って実行してもよい。
【００６６】
次に、コントローラ１００はステップＳ１６を実行する。ステップＳ１６では、鋼帯情報取得部１１１が、搬送中の鋼帯９に関する情報を上位のコントローラから再度取得して更新する。
【００６７】
次に、コントローラ１００はステップＳ１７を実行する。ステップＳ１７では、制御モード切替部１１３が、ステップＳ１６において更新された情報に基づいて、上記移行期間が完了したか否かを確認する。例えば制御モード切替部１１３は、接続部分（ガスワイピングノズル４１を通過した接続部分）からガスワイピングノズル４１までの距離が所定値以上である場合に、上記移行期間が完了したものと判定する。
【００６８】
ステップＳ１７において、移行期間は完了していないと判定した場合、コントローラ１００は処理をステップＳ１６に戻す。以後、移行期間が完了するまで、鋼帯９に関する情報の更新と、移行期間の完了の確認とが繰り返される。
【００６９】
ステップＳ１７において、移行期間が完了したと判定した場合、コントローラ１００はステップＳ１８を実行する。ステップＳ１８では、制御モード切替部１１３が、制御モードを移行モードから通常モードに変更する。その後コントローラ１００は、処理をステップＳ０３に戻す。これにより、通常モードでの制御が再開される。
【００７０】
ステップＳ０８において、鋼帯９の搬送が停止したと判定した場合、コントローラ１００は処理を終了する。以上でガスワイピング手順が完了する。
【００７１】
〔本実施形態の効果〕
以上に説明したように、ガスワイピング装置３は、めっき用の溶融金属が付着した鋼帯９にガスを吹き付けるガスワイピングノズル４１と、ガスワイピングノズル４１の開口幅を変更する幅調節部４２と、ガスワイピングノズル４１にガスを供給する送風機５と、ガスワイピングノズル４１と送風機５との間においてガスの流路の開度を調節する第一バルブ７Ａ及び第二バルブ７Ｂと、ガスワイピングノズル４１に供給されるガスの圧力を検出する第一圧力センサ８Ａ及び第二圧力センサ８Ｂと、コントローラ１００と、を備え、コントローラ１００は、ガスワイピングノズル４１に供給されるガスの圧力の目標値と、開口幅とに応じた送風機５の運転速度を導出するための複数のデータを含むデータリスト１１４を有し、鋼帯９の幅に応じて開口幅を調節するように幅調節部４２を制御することと、データリスト１１４に基づいて圧力の目標値及び開口幅に応じた送風機５の運転速度の指令値を導出し、送風機５に出力することと、圧力の目標値と、第一圧力センサ８Ａ及び第二圧力センサ８Ｂの検出値との間の偏差を小さくするように第一バルブ７Ａ及び第二バルブ７Ｂをフィードバック制御することと、を実行するように構成されている。
【００７２】
このガスワイピング装置３によれば、第一バルブ７Ａ及び第二バルブ７Ｂは、ガスワイピングノズル４１の吐出圧力の目標値と、第一圧力センサ８Ａ及び第二圧力センサ８Ｂの検出値との間の偏差を小さくするようにフィードバック制御される。一方、送風機５は、データリスト１１４を用いて制御される。すなわち、データリスト１１４を用い、圧力の目標値及び開口幅に応じた送風機５の運転速度が導出され、送風機５に出力される。仮に、送風圧力の制御偏差を小さくするように送風機５をフィードバック制御すると、送風機５におけるフィードバック制御と第一バルブ７Ａ及び第二バルブ７Ｂにおけるフィードバック制御とが相互に影響を及ぼし合い、ガスワイピングノズル４１の吐出圧力の安定化が遅くなる場合がある。これに対し、送風機５にはデータリスト１１４を用いた制御を行うことで、送風機５の運転速度は、第一バルブ７Ａ及び第二バルブ７Ｂの動作の影響を受けることなく指令値に即応して早期に安定化する。また、送風機５の運転速度の変動が、第一バルブ７Ａ及び第二バルブ７Ｂのフィードバック制御に及ぼす影響も小さくなる。このため、ガスワイピングノズル４１の吐出圧力は迅速に目標値に追従する。従って、ガスワイピングノズル４１の開口幅の変動に応じてガスの吐出圧力を適切に制御するのに有効である。
【００７３】
データリスト１１４は、圧力の目標値が大きくなるのに応じて送風機５の運転速度が大きくなり、開口幅が大きくなるに応じて送風機５の運転速度が大きくなるように構成されていてもよい。この場合、圧力の目標値が小さくなると送風機５の運転速度が小さくなり、開口幅が小さくなると送風機５の運転速度が小さくなるので、第一バルブ７Ａ及び第二バルブ７Ｂにおけるエネルギーロスを低減できる。
【００７４】
鋼帯９は、互いに接続されて順に搬送される第一鋼帯及び第二鋼帯を含み、コントローラ１００は、第一鋼帯がガスワイピングノズル４１を通過する第一期間と、第二鋼帯がガスワイピングノズル４１を通過する第二期間との間の移行期間において、第一期間及び第二期間に比較してガスワイピングノズル４１の開口幅を大きくするように幅調節部４２を制御することと、第二期間の開始に先立って、第二期間における送風機５の運転速度の指令値をデータリスト１１４に基づいて導出することと、移行期間において、第一バルブ７Ａ及び第二バルブ７Ｂのフィードバック制御を停止し、第二期間における送風機５の運転速度の指令値（以下、「第二速度指令値」という。）を送風機５に出力することと、を更に実行するように構成されていてもよい。
【００７５】
仮に、移行期間において、第一期間及び第二期間に比較してガスワイピングノズル４１の開口幅を大きくする制御を行わない場合、ガスワイピングノズル４１に対する溶融金属の付着が増えるおそれがある。例えば、第一鋼帯に比較して第二鋼帯の幅が大きい場合に、第一期間から第二期間への移行にガスワイピングノズル４１の開口幅の拡大が遅れる可能性がある。この場合、移行期間において、鋼帯９の幅に対してガスワイピングノズル４１の開口幅が小さい状態が生じ得る。この状態においては、図８に示すように、鋼帯９の縁の近傍に溶融金属Ｍの付着量の多い部分Ｍｐが生じ、当該部分Ｍｐから溶融金属の飛散（スプラッシュ）が生じ易くなるので、飛散した溶融金属Ｍｓがガスワイピングノズル４１に付着し易くなる。これに対し、移行期間において、第一期間及び第二期間に比較してガスワイピングノズル４１の開口幅を大きくすることで、上述のスプラッシュを低減し、ガスワイピングノズル４１への溶融金属の付着を抑制することができる。
【００７６】
一方、移行期間においてガスワイピングノズル４１の開口幅を拡大する制御を実行すると、開口幅の変動に対する送風機５、第一バルブ７Ａ及び第二バルブ７Ｂの応答が遅れる可能性がある。このような遅れが生じると、第二期間の開始後においても吐出圧力の変動が継続し、所望の目付量が得られなくなるおそれがある。これに対し、移行期間においては、送風機５の運転速度の指令値が第二速度指令値に保たれている。これにより、第二期間の開始時においては送風機５の運転速度の指令値を変動させる必要がない。また、移行期間においては、第一バルブ７Ａ及び第二バルブ７Ｂのフィードバック制御が停止される。これにより、移行期間における第一バルブ７Ａ及び第二バルブ７Ｂの開度は、送風機５の制御の併用を前提とした変動域内又はその近傍に保たれる。このため、第二期間の開始時に、ガスワイピングノズル４１の吐出圧力を迅速に目標値に追従させることができる。従って、スプラッシュを低減させるようにガスワイピングノズル４１の開口幅を変動させつつ、ガスの吐出圧力を適切に制御することができる。
【００７７】
図９は、移行期間における送風機５、第一バルブ７Ａ及び第二バルブ７Ｂの制御を移行モードで行った場合と、通常モードで行った場合とで、ブロワ５１の回転数（以下、「ブロワ回転数」という。）の実測値を比較するグラフである。図９の（ａ）は、ガスワイピングノズル４１の開口幅の推移を示すグラフである。移行期間Ｔ３におけるガスワイピングノズル４１の開口幅は、第一期間Ｔ１における開口幅から徐々に大きくなり、一定の値に保たれた後、第二期間Ｔ２における開口幅まで徐々に小さくなるように推移している。図９の（ｂ）は、移行期間Ｔ３における送風機５、第一バルブ７Ａ及び第二バルブ７Ｂの制御を移行モード行った場合におけるブロワ回転数の実測値の推移を示すグラフである。図９の（ｃ）は、移行期間Ｔ３における送風機５、第一バルブ７Ａ及び第二バルブ７Ｂの制御を通常モード行った場合におけるブロワ回転数の実測値の推移を示すグラフである。
【００７８】
図９の（ｃ）に示されるように、移行期間Ｔ３における送風機５、第一バルブ７Ａ及び第二バルブ７Ｂの制御を通常モードで行った場合、移行期間Ｔ３の後半においてブロワ回転数がオーバーシュートし、第二期間Ｔ２の開始後においてもブロワ回転数が変動している。この変動は、移行期間Ｔ３におけるガスワイピングノズル４１の開口幅の変動に対し、送風機５、第一バルブ７Ａ及び第二バルブ７Ｂの応答が遅れることに起因しているものと考えられる。これに対し、図９の（ｂ）に示されるように、移行期間Ｔ３における送風機５、第一バルブ７Ａ及び第二バルブ７Ｂの制御を移行モードで行った場合、ブロワ回転数は、第二期間の開始に先立って第二期間における回転数の目標値Ｒ１に収束し、第二期間の開始以降も略一定に保たれている。
【００７９】
図１０は、移行期間における送風機５、第一バルブ７Ａ及び第二バルブ７Ｂの制御を移行モードで行った場合と、通常モードで行った場合とで、吐出圧力の実測値（第一圧力センサ８Ａ又は第二圧力センサ８Ｂの検出値）を比較するグラフである。図１０の（ａ）は、図９の（ａ）と同様に、ガスワイピングノズル４１の開口幅の推移を示すグラフである。図１０の（ｂ）は、移行期間Ｔ３における送風機５、第一バルブ７Ａ及び第二バルブ７Ｂの制御を移行モード行った場合における吐出圧力の実測値の推移を示すグラフである。図１０の（ｃ）は、移行期間Ｔ３における送風機５、第一バルブ７Ａ及び第二バルブ７Ｂの制御を通常モード行った場合における吐出圧力の実測値の推移を示すグラフである。
【００８０】
図１０の（ｃ）に示されるように、移行期間Ｔ３における送風機５、第一バルブ７Ａ及び第二バルブ７Ｂの制御を通常モードで行った場合、移行期間Ｔ３の後半において吐出圧力がオーバーシュートし、第二期間の開始後においても吐出圧力が変動している。この変動も、移行期間Ｔ３におけるガスワイピングノズル４１の開口幅の変動に対し、送風機５、第一バルブ７Ａ及び第二バルブ７Ｂの応答が遅れることに起因しているものと考えられる。これに対し、図１０の（ｂ）に示されるように、移行期間Ｔ３における送風機５、第一バルブ７Ａ及び第二バルブ７Ｂの制御を移行モードで行った場合、吐出圧力は、第二期間Ｔ２の開始と共に目標値Ｒ２に収束し、それ以降も略一定に保たれている。
【００８１】
図１１は、移行期間における送風機５、第一バルブ７Ａ及び第二バルブ７Ｂの制御を移行モードで行った場合と、通常モードで行った場合とで、目付量の実測値を比較するグラフである。図１１の（ａ）は、図９の（ａ）と同様に、ガスワイピングノズル４１の開口幅の推移を示すグラフである。図１１の（ｂ）は、移行期間Ｔ３における送風機５、第一バルブ７Ａ及び第二バルブ７Ｂの制御を移行モード行った場合における目付量の実測値の推移を示すグラフである。図１１の（ｃ）は、移行期間Ｔ３における送風機５、第一バルブ７Ａ及び第二バルブ７Ｂの制御を通常モード行った場合における目付量の実測値の推移を示すグラフである。
【００８２】
図１１の（ｃ）に示されるように、移行期間Ｔ３における送風機５、第一バルブ７Ａ及び第二バルブ７Ｂの制御を通常モードで行った場合、移行期間Ｔ３の後半において目付量がオーバーシュートし、第二期間の開始後においても目付量が変動している。この変動も、移行期間におけるガスワイピングノズル４１の開口幅の変動に対し、送風機５、第一バルブ７Ａ及び第二バルブ７Ｂの応答が遅れることに起因しているものと考えられる。これに対し、図１１の（ｂ）に示されるように、移行期間Ｔ３における送風機５、第一バルブ７Ａ及び第二バルブ７Ｂの制御を移行モードで行った場合、目付量は、第二期間の開始後速やかに目標値Ｒ３に収束し、それ以降も略一定に保たれている。
【００８３】
以上、実施形態について説明したが、本発明は必ずしも上述した実施形態に限定されるものではなく、その要旨を逸脱しない範囲で様々な変更が可能である。
【００８４】
上述の実施形態においては、一つの送風機５から第一ノズルユニット４Ａ及び第二ノズルユニット４Ｂの両方にガスを供給する構成を示したが、送風機５はノズルユニット４ごとに設けられていてもよい。すなわち、ガスワイピング装置３は、第一ノズルユニット４Ａ及び第二ノズルユニット４Ｂにそれぞれガスを供給する二つの送風機５を有していてもよい（以下、第一ノズルユニット４Ａにガスを供給する送風機５を「第一送風機５Ａ」といい、第二ノズルユニット４Ｂにガスを供給する送風機５を「第二送風機５Ｂ」という。）。この場合、コントローラ１００は、第一ノズルユニット４Ａ、第一バルブ７Ａ及び第一送風機５Ａを制御するコントローラと、第二ノズルユニット４Ｂ、第二バルブ７Ｂ及び第二送風機５Ｂを制御するコントローラとに分かれていてもよい。
【符号の説明】
【００８５】
３…ガスワイピング装置、９…鋼帯、５…送風機、７Ａ…第一バルブ（圧力調節弁）、７Ｂ…第二バルブ（圧力調節弁）、８Ａ…第一圧力センサ、８Ｂ…第二圧力センサ、１００…コントローラ、４１…ガスワイピングノズル、４２…幅調節部。
【図１】
2018111873.tif 000003
【図２】
2018111873.tif 000004
【図３】
2018111873.tif 000005
【図４】
2018111873.tif 000006
【図５】
2018111873.tif 000007
【図６】
2018111873.tif 000008
【図７】
2018111873.tif 000009
【図８】
2018111873.tif 000010
【図９】
2018111873.tif 000011
【図１０】
2018111873.tif 000012
【図１１】
2018111873.tif 000013